(57)【要約】【課題】  従来の振動輸送装置をそのまま流用することが可能で、設備投資を増加せず、人間費が向上せず、生産効率が大幅に向上する瓶体用取っ手の構造を提供する。【解決手段】  取っ手２は一つの握り部２１を有し、瓶体１には嵌合部１１が二つ設けられている。取っ手２にある握り部２１は瓶体１に設けた嵌合部１１に応じて長さが同じで対称な係合段がそれぞれ設けられている。二つの係合段は握り部２１と垂直で、嵌合部１１に嵌め込んで固定され、長さが同じで対称な構造なので、振動輸送装置により取っ手を輸送して瓶体に取付ける際には、取っ手２の係合段による方向は判別する必要がなく、人件費が低減する。握り部２１の瓶体１に対応する一面は内側面２１１とし、他面は外側面２１２とし、互いに平行する平坦段２１３であり、且つ握り部２１の係合段２２から遠ざかった端部には止め段２１４が設けられ、取っ手２と瓶体１との係合がより安定になる。【選択図】    図１
0003115647.tif 000002
【実用新案登録請求の範囲】
【請求項１】
二つの嵌合部が設けてある瓶体に取付けるための瓶体用取っ手の構造であって、
取っ手は一つの握り部を有し、前記握り部には、瓶体に設けた嵌合部に応じて長さが同じで対称する二つの係合段が設けられ、前記係合段は嵌合部に嵌め込んで固定されることを特徴とする瓶体用取っ手の構造。
【請求項２】
二つの前記係合段は握り部と垂直であることを特徴とする請求項１に記載の瓶体用取っ手の構造。
【請求項３】
前記握り部の係合段から遠ざかった端部には止め段がそれぞれ設けられていることを特徴とする請求項１に記載の瓶体用取っ手の構造。
【請求項４】
前記握り部の瓶体に対応する一面は内側面とし、瓶体から遠ざかった他面は外側面とし、且つ前記内側面と外側面とは互いに平行の平坦段であることを特徴とする請求項１に記載の瓶体用取っ手の構造。
【請求項５】
前記握り部の瓶体に対応する一面は内側面とし、瓶体から遠ざかった他面は外側面とし、且つ前記内側面と外側面とは互いに平行の円弧段であることを特徴とする請求項１に記載の瓶体用取っ手の構造。
【請求項６】
前記係合段の瓶体に隣接する箇所では二つの前記係合段を連結する連接部が設けられていることを特徴とする請求項１に記載の瓶体用取っ手の構造。
【考案の詳細な説明】
【技術分野】
【０００１】
本考案は、瓶体用取っ手の構造に関し、特に、取っ手にある握り部と瓶体との間にある二つの係合段は長さが同じで対称な瓶体用取っ手の構造に関する。
【背景技術】
【０００２】
図５は、従来の瓶体用取っ手の構造である。瓶体５に取付けるための取っ手６であり、取っ手６は一つの握り部６１を有し、瓶体５には嵌合部５１が二つ設けられている。取っ手６にある握り部６１には、瓶体５に設けた二つの嵌合部５１に応じて、一つの短係合段６２と、一つの長係合段６４とがそれぞれ設けられ、短係合段６２と長係合段６４とはそれぞれ瓶体５の二つの嵌合部５１と係合する。
【考案の開示】
【考案が解決しようとする課題】
【０００３】
次に図６に示すように、握り部６１は、円弧段６１１であり、止め段６１２が一つ設けられている。短係合段６２と長係合段６４とには、瓶体に隣接し、短係合段６２と長係合段６４とを連結する連接部６３が設けられている。
【０００４】
取っ手６を瓶体５に取付けるときには、輸送装置により取っ手６を輸送することが必要であり、輸送装置は振動輸送装置を例に挙げて説明すると、取っ手６の握り部６１のより重い側であり、握り部６１が振動輸送装置のレールの一側に当接すると、握り部６１は順調に輸送されることが可能で、瓶体５への取付が容易である。
【０００５】
逆に、握り部６１が振動輸送装置のレールの他側に当接すると、取っ手６は振動輸送装置内に落下して起点から輸送されるようになるが、振動輸送装置により取っ手６を輸送する過程中に、短係合段６２と長係合段６４とを有する取っ手６の方向は判別できず、取っ手６が振動輸送装置により輸送して瓶体５と結合する際に、取っ手６が逆に取付けられることがよくある。このとき、人工でやり直すことが必要になり、更に、取っ手６が逆に取付けられた製品がそのままに出荷して不良品になることもあり、且つ前記振動輸送装置に取っ手６の方向を判別する装置を増設すれば、設備投資が向上し、生産コストが増加になる。
【０００６】
したがって本考案の主な目的は、従来の振動輸送装置をそのまま流用することが可能で、設備投資を増加せず、人間費が向上せず、生産効率が大幅に向上する瓶体用取っ手の構造を提供することにある。
【課題を解決するための手段】
【０００７】
上述の目的を達成するために本考案の請求項に記載の瓶体用取っ手の構造は、二つの嵌合部が設けられている瓶体に取付けるための瓶体用取っ手の構造である。取っ手は一つの握り部を有し、握り部は瓶体に設けた嵌合部に応じて長さが同じで対称な合段がそれぞれ設けられ、係合段は嵌合部に嵌め込んで固定される。
【０００８】
二つの係合段は握り部と垂直である。
【０００９】
握り部の係合段から遠ざかった端部には止め段がそれぞれ設けられている。
握り部の瓶体に対応する一面は内側面とし、瓶体から遠ざかった他面は外側面とし、且つ内側面と外側面とは互いに平行する平坦段である。
【００１０】
握り部の瓶体に対応する一面は内側面とし、瓶体から遠ざかった他面は外側面とし、且つ内側面と外側面とは互いに平行する円弧段である。
【００１１】
係合段の瓶体に隣接する箇所では二つの係合段を連結する連接部が設けられている。
【００１２】
本考案の瓶体用取っ手の構造によれば、従来の振動輸送装置をそのまま流用することが可能で、設備投資を増加せず、人間費が向上せず、生産効率が大幅に向上する。
【考案を実施するための最良の形態】
【００１３】
以下、本考案の実施例を図面に基づいて説明する。
図１から図３に示すように本考案の第１実施例による瓶体用取っ手の構造は、瓶体１に取付けるための取っ手２であり、取っ手２は一つの握り部２１を有し、瓶体１には嵌合部１１が二つ設けられている。取っ手２にある握り部２１は瓶体１に設けた嵌合部１１に応じて長さが同じで対称な係合段２２がそれぞれ設けられている。本実施例では、二つの係合段２２は握り部２１と垂直で、係合段２２は嵌合部１１に嵌め込んで固定され、二つの係合段２２は長さが同じで対称な構造なので、振動輸送装置により取っ手を輸送して瓶体に取付ける際には、取っ手２の係合段２２による方向は判別する必要がなく、人工で取っ手２の方向をやり直すことが必要なく、人間費が低減し、生産効率が大幅に向上する。
【００１４】
また、図３に示すように、握り部２１の瓶体１に対応する一面は内側面２１１とし、瓶体１から遠ざかった他面は外側面２１２とし、且つ内側面２１１と外側面２１２とは互いに平行する平坦段２１３であり、且つ握り部２１の係合段２２から遠ざかった端部には止め段２１４がそれぞれ設けられている。よって取っ手２と瓶体１との係合がもっと安定になる。
【００１５】
取っ手２によれば、取付けがもっと便利になると共に、二つの係合段２２は長さが同じで対称なで、従来のものよりも製造がもっと容易になる。
もちろん、本考案は色んな変化が可能であり、それらはディテールだけの変更である。
【００１６】
また、図４に示ように本考案の第２実施例では、握り部２１の瓶体１に対応する一面は内側面２１１とし、瓶体１から遠ざかった他面は外側面２１２とし、且つ内側面２１１と外側面２１２とは互いに平行する円弧段２１５である。係合段２２の瓶体１に隣接する箇所では二つの係合段２２を連結する連接部２３が設けられ、これにより、取っ手２全体の剛性がより高くなる。
【図面の簡単な説明】
【００１７】
【図１】本考案の第１実施例による瓶体用取っ手の構造を示す分解斜視図である。
【図２】本考案の第１実施例による瓶体用取っ手の構造の一部の正面図である。
【図３】本考案の第２実施例による瓶体用取っ手の構造を示す分解斜視図である。
【図４】本考案の第２実施例による瓶体用取っ手の構造の一部の正面図である。
【図５】従来の瓶体用取っ手の構造を示す組合状態の斜視図である。
【図６】従来の瓶体用取っ手の構造を示す組合状態の断面図である。
【符号の説明】
【００１８】
１  瓶体、２  取っ手、１１  嵌合部、２１  握り部、２２  係合段、２３  連接部、２１１  内側面、２１２  外側面、２１３  平坦段、２１４  止め段、２１５  円弧段
【図１】
0003115647.tif 000003
【図２】
0003115647.tif 000004
【図３】
0003115647.tif 000005
【図４】
0003115647.tif 000006
【図５】
0003115647.tif 000007
【図６】
0003115647.tif 000008